(57)【要約】      （修正有）【課題】簡単に作成することができ、粒の大小を問わずに均等に種を蒔くことができる家庭菜園用種蒔き器を提供する。【解決手段】上端および下端が解放された漏斗形状の種受け部１と、上端が解放され底面２１を有する上調整部２と、下端が解放され上面３１を有する下調整部３とが鉛直方向に接続される。種受け部１は上端が種入れ口１１となり、下端が種送り口１２となっている。上調整部２は、上端解放面が種送り口１２を受け入れる形で種受け部と接続し、下調整部３は上面が上調整部の底面に対して擦動しつつ回転可能に軸着されている。上調整部の底面及び下調整部の上面には切欠き孔２２・３２が設置され、下調整部を回転・擦動させたときに切欠き孔の一部が重なることにより、面積可変に種通過口が形成される。種通過口の面積を種の大きさに応じて調整することにより、播種量を調整する。【選択図】図１
0003204036.tif 000002
【実用新案登録請求の範囲】
【請求項１】
種の大きさに対応して播種量を調整可能な種蒔き器であって、
上端の種入れ口及び下端の種送り口が解放された漏斗形状の種受け部と、
上端が解放され前記種受け部の前記種送り口と接続する上調整部と、
下端が解放され上面が前記上調整部の底面に対して擦動しつつ回転可能に軸着された下調整部と、
から成り、
前記上調整部の底面及び前記下調整部の上面には各々に切欠き孔を有し、前記下調整部を回転・擦動させたときに前記各々の切欠き孔の一部が重なることにより、面積が可変である種通過口が形成されることを特徴とする種蒔き器。
【考案の詳細な説明】
【技術分野】
【０００１】
本考案は、主に家庭菜園で使用する種蒔き器に関する。
【背景技術】
【０００２】
家庭菜園等において、粒の小さい種を筋蒔きするときは、通常、指でつまんで蒔いたり、掌で一定量の種を握り、小指側から少しずつ落としていく方法が一般的であった。
【先行技術文献】
【特許文献】
【０００３】
【特許文献１】特開２００３−２５０３０８号
【特許文献２】特開２０１４−２０４６８９号
【考案の概要】
【考案が解決しようとする課題】
【０００４】
上述したような、種を指でつまんで少しずつ蒔く方法は時間がかかり、また、掌で種を握って小指側から落としていく方法は慣れを要し、均等に種を落とすことが難しい。
【０００５】
特許文献１には、電池を内蔵した機器を振動させながら均等に種を落下させる手法をとる播種器が開示されているが、このような機械構造を有する播種器は製造に労力とコストがかかり、家庭菜園向きではない。また、特許文献２に開示されている種蒔き器は、筒内に狭い部分を設け、ここに溜った小粒の種をブラシ状の外周面を有するローラーで少しずつ送り出す方式をとるが、播種の対象が小粒で均一の大きさの種に限定され、種の大きさに合わせて播種量を調整する機構がない点が問題である。
【０００６】
上述の問題に鑑み、本考案においては、身近な材料を使用して簡単に作成することができ、粒の大小を問わずに均等に種を蒔くことができる家庭菜園用種蒔き器を提供することを課題とする。
【課題を解決するための手段】
【０００７】
上記課題を解決するために、本考案に係る種蒔き器は、種の大きさに対応して播種量を調整可能な種蒔き器であって、上端および下端が解放された漏斗形状の種受け部と、上端が解放され底面を有する上調整部と、下端が解放され上面を有する下調整部とが鉛直方向に接続されることによって構成される。
【０００８】
前記漏斗形状の種受け部は上端解放面が種入れ口となり、下端解放面が種送り口となっている。前記上調整部は、上端解放面に前記種送り口を受け入れる形で前記種受け部と接続し、前記下調整部は前記上面が前記上調整部の底面に対して擦動しつつ回転可能に軸着されている。さらに、前記上調整部の底面及び前記下調整部の上面には各々に切欠き孔が設置され、前記下調整部を回転・擦動させたときに前記各々の切欠き孔の一部が重なることにより、面積が可変である種通過口が形成され、該種通過口の面積を種の大きさに応じて調整することにより、播種量を調整する。
【考案の効果】
【０００９】
種の大きさに応じて種通過口の面積を調整することにより、種の大小にかかわらず、むらなく均等に種を蒔くことが可能となる。
【００１０】
ペットボトル等の身近な器材を使って、容易に、かつ安価に種蒔き器を作成することが可能となる。
【図面の簡単な説明】
【００１１】
【図１】本実施形態の種蒔き器の構成を示す斜視図である。
【図２】本実施形態の種蒔き器の（Ａ）上調整部の平面図、（Ｂ）下調整部の底面図である。
【図３】本実施形態の種蒔き器において、上調整部からの平面図であって、種通過口の面積調整の例を示す。種の大きさが、それぞれ、（Ａ）大（Ｂ）中（Ｃ）小、の場合の例である。
【考案を実施するための形態】
【００１２】
本考案の種蒔き器は図１に示すように、上から、種受け部１・上調整部２・下調整部３の３部品を接続する構成をとる。本実施形態では、材料として市販の飲料容器であるペットボトルを使用する。種受け部１にはペットボトル本体の上部を切断したものを、また、上調整部２及び下調整部３には、それぞれペットボトルのキャップを加工したものを用いる。
以下、作成方法について説明する。
【００１３】
まず、ペットボトルの上部二分の１から三分の１を切断して、これを逆さにし漏斗形状にしたものを種受け部１とする。切断された上端解放面が種入れ口１１となり、キャップを外した下端解放面が種送り口１２となる（図１）。
【００１４】
続けて、２つのキャップを使用して、播種量を調整するための上調整部２と下調整部３を作成する。ここで、上調整部２となるキャップの蓋面（底面２１）と下調整部３となるキャップの蓋面（上面３１）には、図２（Ａ）及び（Ｂ）に示すような切欠き孔２２及び３２を形成する。切欠き孔２２は台形とし、切欠き孔３２は、切欠き孔２２の２辺が重なる程度の寸法及び位置を有する長方形とする。上調整部２と下調整部３の中心は接合部材が通る程度の大きさの軸穴２３及び３３を設ける。
【００１５】
図１に示すように、上調整部２と下調整部３は、それぞれの蓋面（上調整部底面２１・下調整部上面３１）が背合わせになるように着接させ、接続部材を軸穴２３・３３に通して、それぞれの面が擦動及び回転可能になるよう軸着させる。接続部材には革工芸で使用する鋲のオス５１・メス５２を使用する。最後に、上調整部２の解放面に種受け部１の種送り口１２をねじ込み、本種蒔き器が完成する。
【００１６】
図３（Ａ）乃至（Ｃ）は、播種量の調整方法について例示するものである。図に示すように、軸着させた下調整部３を回転・擦動させたとき、上切欠き孔２２と下切欠き孔３２の重なり部分（濃いグレーの部分）が種通過口４となり、種通過口４の面積の大小により播種量が調整される。図３（Ａ）は下調整部３を、切欠き孔２２・３２の完全重複時から反時計回りに１５度回転させた状態を示し、比較的大きな種を蒔くときの例示である。（Ｂ）は３０度回転させた状態を示し中程度の大きさの種の場合を、（Ｃ）は６０度で、小さな種を蒔くときの例示である。
【００１７】
実際の作業としては、（１）種通過口４が閉じた状態で、種受け部１の種入れ口１１から種を入置する。（２）下調整部３を時計回りに回転させ、種が落ちる量を見ながら種通過口４の面積を調整する。（３）土の上で歩行速度を調節しつつ本体をゆすりながら筋蒔きを行う。
【００１８】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。例えば、上切欠き孔２２と下切欠き孔３３の形状と大きさは、種の大きさにより可変であるし、上調整部２と下調整部３の接続手段と器具は任意である。また、本実施形態では身近な生活用品であるペットボトルを使用した種蒔き器について述べたが、製品化及びマーケッティングを考慮した場合には、専用部品を作成して本考案の技術思想を具現することも可能である。
【符号の説明】
【００１９】
１      種受け部
１１    種入れ口
１２    種送り口
２      上調整部
２１    上調整部底面
２２    上切欠き孔
２３    軸穴
３      下調整部
３１    下調整部上面
３２    下切欠き孔
３３    軸穴
４      種通過口
５１    接続部材オス
５２    接続部材メス
【図１】
0003204036.tif 000003
【図２】
0003204036.tif 000004
【図３】
0003204036.tif 000005